(57)【要約】      （修正有）【課題】微量測定用の測定容器を含めた様々な測定容器を保持できるスターラを提供する。【解決手段】底部に電動機を内蔵し、電動機の回転軸に磁石が取り付けられ、電動機が回転することに伴って、磁石が回転して回転磁界が生じるスターラ１において、攪拌対象の試料液５と、回転磁界に追従して回転することによって該試料液５を攪拌する攪拌子４とを納めた第一測定容器３を、スターラ１の上面に保持する凹部１ａを設けるとともに、第一測定容器３よりも外径が小さい第二測定容器３を保持する場合には、凹部１ａの内径よりも僅かに小さく且つ凹部１ａの内縁に当接する外縁を有するとともに、内部に貫通部２ａを有するアダプター２を装着し、第二測定容器３を貫通部２ａの内縁で保持するようにした。【選択図】図３
2009052986.tif 000002
【特許請求の範囲】
【請求項１】
底部に電動機を内蔵し、前記電動機の回転軸に磁石が取り付けられ、前記電動機が回転することに伴って、前記磁石が回転して回転磁界が生じるスターラにおいて、攪拌対象の試料液と、前記回転磁界に追従して回転することによって該試料液を攪拌する攪拌子とを納めた第一測定容器を、該スターラの上面に保持する凹部を設けるとともに、前記第一測定容器よりも外径が小さい第二測定容器を保持する場合には、前記凹部の内径よりも僅かに小さく且つ前記凹部の内縁に当接する外縁を有するとともに、内部に貫通部を有するアダプターを装着し、前記第二測定容器を前記貫通部の内縁で保持することを特徴とするスターラ。
【請求項２】
前記アダプターは、前記貫通部を覆うようにして前記第二測定容器を保持するための突出部をさらに設けていることを特徴とする請求項１に記載のスターラ。
【請求項３】
前記突出部は、少なくとも一箇所以上の隙間部を設けていることを特徴とする請求項２に記載のスターラ。
【発明の詳細な説明】
【技術分野】
【０００１】
本発明は、滴定等の分析で使われる測定容器中の試料水を攪拌するためのスターラの測定容器固定方法及びアダプターに関するものである。
【背景技術】
【０００２】
スターラは、底部に電動機を内蔵しており、この電動機の回転軸に駆動用の磁石が取り付けてある。攪拌対象となる試料液が入った測定容器に磁性体である攪拌子を挿入することによって、電動機側の磁石が回転するとこれによって回転磁界を生じ、攪拌子もこれに従って回転するようになって試料液を攪拌する。測定容器はスターラ台上に示された所定の場所に配置されると、容器内の攪拌子は前記電動機の回転軸の中心部に略一致するようになり、試料液の攪拌が効果的に行われる。
【０００３】
実開平１−１６６２５６号公報には、マグネチックスターラ台上に固体する基台（２）と該基台に測定容器（１０）の外周を規制する立縁部（３）とを設けて成るマグネチックスターラ上の容器固定具について記載されている。基台（２）は、その周縁にマグネチックスターラ台（１）への嵌合縁（４）を両側下方へ突出させ測定容器（１０）の外周を規制し、嵌合縁（４）を両側下方へ突出して左右方向の動きを規制し、嵌合縁（４）の前後に三角リブ（１２）を設けて前後の動きを規制する。立縁部（３）は、環状体（７）を板片（８）の丸穴へ嵌合固定することにより形成されている。なお、環状体（７）を直接基台（２）へ接着固定させることもできる。
【０００４】
また、スターラの台上にリング状の治具を固着させて、リングの貫通穴の部分にビーカーなどの測定容器を挿入、保持するようにしているものもある。
【０００５】
また、スターラは、例えば実開２−１０７０７０号公報の第２図に示すように滴定装置でも用いられている。ビュレット装置から滴下される滴定試薬を測定すべき試料とともに攪拌子により攪拌しながら、滴定状態の検知手段である電極によって検知する。例えば、当量点付近で大きくｐＨが変化することを利用して終点を検出する電位差滴定では、測定電極としてｐＨ電極を使用する。
【０００６】
ところで、環境問題の高まりなどから、一回の測定に必要とする試料液の削減や、微量成分の分析技術および装置開発が求められている。例えば、医療分野などでは一回の分析用サンプルとなる試料液の量が少なく、これに対応した微量測定用の各種電極が用いられている。上記滴定装置の場合においても、微量滴定用として電極部先端が細径のｐＨ電極が販売されており、これに対応した測定容器は細長い試験管タイプのものや、ｐＨ電極先端の電極応答部及び液絡部近傍のみを浸す、先端が細径テーパー形状のものなど様々ある。
【０００７】
【特許文献１】実開平１−１６２６５６号公報
【特許文献２】実開平２−１０７０７０号公報
【発明の開示】
【発明が解決しようとする課題】
【０００８】
上記のように、測定容器をスターラに載置する場合、スターラ台上に別部材としての固定用の治具を取り付ける必要があり、部品点数が増えるまたは治具の分だけスペースが取られてしまうといった問題がある。
【０００９】
また、測定容器が微量測定用である試験管タイプや細径テーパー形状のものの場合、そのままスターラ台上に載置することはできず、これを保持する治具は見出されていない。ビーカー形状の容器内部にテーパー形状のものを形成した二重構造の測定容器が販売されておりこれで対応する方法もあるが、容器が高価である、容器を載置するスペースが大きくなってしまうといった問題がある。
【００１０】
本発明はこのような従来の事情に鑑み、微量測定用の測定容器を含めた様々な測定容器を保持できるスターラを提供することを目的としている。
【課題を解決するための手段】
【００１１】
上記目的を達成するため本発明のスターラは、底部に電動機を内蔵し、前記電動機の回転軸に磁石が取り付けられ、前記電動機が回転することに伴って、前記磁石が回転して回転磁界が生じるスターラにおいて、攪拌対象の試料液と、前記回転磁界に追従して回転することによって該試料液を攪拌する攪拌子とを納めた第一測定容器を、該スターラの上面に保持する凹部を設けるとともに、前記第一測定容器よりも外径が小さい第二測定容器を保持する場合には、前記凹部の内径よりも僅かに小さく且つ前記凹部の内縁に当接する外縁を有するとともに、内部に貫通部を有するアダプターを装着し、前記第二測定容器を前記貫通部の内縁で保持することを特徴としている。
【００１２】
また、本発明のスターラにおいて、前記アダプターは、前記貫通部を覆うようにして前記第二測定容器を保持するための突出部をさらに設けていることを特徴としている。さらにまた、前記突出部は、少なくとも一箇所以上の隙間部を設けていることを特徴としている。
【発明の効果】
【００１３】
本発明のスターラは、試料液が僅かな微量測定用の容器などの第二測定容器を用いる場合には、通常使用している第一測定容器を保持するための凹部に、専用のアダプターをスターラ上面に形成した凹部に挿入するだけで保持することができ、様々な測定容器に対応することができる。
【００１４】
また、前記アダプターには、第二測定容器を保持するための突出部が設けてあるため、第二測定容器を安定して保持することができる。さらにまた、第二測定容器を保持するための突出部には、少なくとも一箇所以上の隙間部が設けてあるため、回転している攪拌子の状態、試料液の攪拌状態などを常に確認することができる。
【発明を実施するための最良の形態】
【００１５】
図１（ａ），図２に本発明のスターラの一実施形態として、滴定装置へ適用した場合の構成を示す。
スターラ１の底部には、図示しない電動機が内蔵されている。そして電動機の回転軸には図示しない磁石が取り付けられており、電動機が回転することに伴って磁石が回転することによって回転磁界が生じるようになる。スターラ１の上面には、攪拌対象となる試料液５と、該試料液５を攪拌するための攪拌子４を納めたスターラ１専用の標準的な第一測定容器３を保持する凹部１ａが設けられている。攪拌子４は磁性体であるため、スターラ１側の磁石による回転磁界に伴って攪拌子４も回転するようになり、これによって第一測定容器３内の試料液が攪拌される。なお、第一測定容器３とは、通常の測定に用いられるビーカーなどの標準的な容器であり、試料液５も標準的な量を使用する。
【００１６】
凹部１ａの内径は、第一測定容器３の外径よりもこれに当接可能な程度に僅かに大きくなっており、これにより凹部１ａの内縁と第一測定容器３の外縁とが当接することによって、スターラ１を起動させて攪拌状態にしても第一測定容器３が動かないようにしっかりと保持することができる。
【００１７】
ところで、効果的な攪拌を行うようにするためには、電動機の回転軸の中心（以下、スターラ中心と記載する。）と、第一測定容器３内にある攪拌子４が略一致するように第一測定容器３を配置する必要がある。そのためには、スターラ中心と攪拌子４が納められる第一測定容器３の中心が略一致するように配置するようにするのが望ましく、従来、スターラの上面には容器を載置する場所を示す図が描かれたりしている。本実施形態では、凹部１ａの中心部とスターラ中心とは略一致するように形成されているので、第一測定容器３を凹部１ａに挿入するだけでスターラ中心と第一測定容器３の中心が略一致するようになるので、効果的な攪拌ができる。
【００１８】
なお、第一測定容器３には、電位差滴定用の滴定検知手段としてのｐＨ電極６と、図示しない滴定試薬を自動的に送液・滴下する機能を有するビュレット装置から送液された試料液を滴下する試薬注入管７が装着される。また、試料液５の量は、ｐＨ電極６の電極応答部６ａと液絡部６ｂが試料液で十分に浸されて、電気的導通が維持される程度であればよい。
【００１９】
図１（ｂ），図３は、本発明の一実施例として標準的な第一測定容器３ではなく、この外径よりも径が小さい第二測定容器３を保持した場合の構成を示す。
第二測定容器３は、標準ビーカーなどの第一測定容器３よりも容量が少ない試料液５の滴定に用いる付帯的な測定容器であり、ここでは円筒型の容器を示している。第二測定容器３を第一測定容器３に換えて保持する場合には、第一測定容器３を保持するための凹部１ａにそのまま第二測定容器３を挿入しても、第二測定容器３と凹部１ａの間には空間があるため、そのままスターラ１を起動させると振動で第二測定容器３が移動するまたは倒れてしまう。そうなると、スターラ中心と第二測定容器３の中心部がずれてしまって、攪拌子４が第二測定容器３の側壁に当接するなどして効果的な攪拌ができなくなるおそれがある。
【００２０】
そこで、図３に示すように凹部１ａに専用のアダプター２を装着するようにする。アダプター２は内部に貫通部２ａを持ったリング形状をなしており、貫通部２ａの内径は、円筒型の第二測定容器３の外径よりもこれに当接可能な程度に僅かに大きくなっている。アダプター２の外径は、凹部１ａの内径よりもこれに当接可能な程度に僅かに小さくなっており、アダプター２の外縁が凹部１ａの内縁に当接して保持されるようになり、さらに貫通部２ａの内縁は、第二測定容器３の外縁と当接して第二測定容器３を保持するようになる。
【００２１】
また、アダプター２の厚さは、凹部１ａの深さと略同一となっているため、アダプター２を凹部１ａに装着してもアダプター２上面はスターラ１上面と略同一となり、突出することがない。これにより、第二測定容器３は凹部１ａにアダプター２を挿入するだけで保持することができるようになり、従来のようにスターラ１上面に保持するための治具を取り付ける必要がなく、スペースを有効に活用することができる。
【００２２】
ところで、図４に本実施形態のアダプター２を他の第二測定容器３に適用した例を示す。この第二測定容器３は、円筒型容器の底部の外径が本体部の外径よりも大きくなった形状をしており、該底部が本体部（円筒部）を支持する支持部となっている。アダプター２の貫通部２ａの内径を、該底部の外径と当接可能な程度に僅かに大きくなるように設定することにより、該底部の外縁は貫通部２ａの内縁と当接するようなり、安定して保持されるようになる。このような形状を有する第二測定容器３に対しても、本発明のアダプター２は適用することができる。
【００２３】
図５は、第二測定容器３として、さらに直径が小さい微量測定（滴定）用の容器を用いた場合の一実施形態を示す。  
ここに示す第二測定容器３は、テーパー形状の上部３ａと、円筒状の基部３ｂとからなる形状をしている。また、電位差滴定用の滴定検知手段としてのｐＨ電極６は、微量測定用の電極であり、試薬注入管７も細径の管で形成された専用のものとなっている。円筒状の基部３ｂの外径は、ｐＨ電極６の先端部（電極応答部６ａと液絡部６ｂ）または試薬注入管７を試料液５で浸せるだけの空間があればよく、そこまで小さくすることができる。そのため、このような微量測定用の容器の場合、細長い形状のものが多く、直接スターラ１に載置したとしてもすぐに倒れてしまうおそれがある。  
【００２４】
そこで、図５，図６（ａ）に示すように、アダプター２の貫通部２ａを覆うように環状の突出部２ｂを設けるようにする。突出部２ｂの内径は貫通部２ａの内径と略同一であり、この部分で第二測定容器３を保持することにより、スターラ１が起動して攪拌状態になっても第二測定容器３は倒れたり動いたりすることがない。なお、突出部２ｂの内径は、第二測定容器３の基部の外径よりもこれに当接可能な程度に僅かに大きいのが望ましく、これにより突出部２ｂの内縁は第二測定容器３の外縁に当接した状態で第二測定容器３を保持することができる。
【００２５】
また、本実施形態のアダプター２は、ここに示した第二測定容器３に限定されるものではなく、試験管タイプや細径テーパー形状の容器などさまざまな容器に適用することができる。  
【００２６】
次にこの突出部２ｂを有したアダプター２の変形例を図６（ｂ），図６（ｃ）に示す。
図６（ｂ）は、アダプター２の環状の突出部２ｂにスリット状の隙間部２ｃを４箇所設けた例を示す。隙間部から第二測定容器３内部を覗くことにより、回転している攪拌子４の状態、試料液５の攪拌状態などを常に確認することができる。
【００２７】
図６（ｃ）は、アダプター２の突出部２ｂを、同心円状に間隔をあけて配置した円柱状の柱で構成した例を示す。隙間部２ｃは個々の突出部２ｂの間に予め形成されているので、ここから回転している攪拌子４の状態、試料液５の攪拌状態などを常に確認することができる。なお、個々の突出部２ｂの形状は円柱に限定されるものではなく、第二測定容器３を保持できるものであればどんな形状でもよい。
【図面の簡単な説明】
【００２８】
【図１】本発明におけるスターラの使用状態を示す図である。
【図２】本発明におけるスターラにおいて、アダプターを使用しない場合の概略構成断面図である。
【図３】本発明におけるスターラにおいて、アダプターを使用した場合の概略構成断面図である。
【図４】本発明におけるスターラにおいて、第二測定容器の形状を変えた場合の概略構成断面図である。
【図５】本発明におけるスターラにおいて、アダプターに突出部を設けた場合の概略構成断面図である。
【図６】本発明におけるスターラにおいて、各種アダプターの例を示す図である。
【符号の説明】
【００２９】
１      スターラ
１ａ    凹部
２      アダプター
２ａ    貫通部
２ｂ    突出部
２ｃ    隙間部
３      第一測定容器、第二測定容器
４      攪拌子
５      試料液
６      ｐＨ電極
６ａ    電極応答部
６ｂ    液絡部
７      試薬注入管
【図２】
2009052986.tif 000003
【図３】
2009052986.tif 000004
【図４】
2009052986.tif 000005
【図５】
2009052986.tif 000006
【図６】
2009052986.tif 000007
【図１】
2009052986.tif 000008